【事件の表示】
　特願２００７−２３３６７５「音声記録装置及び音声再生装置」拒絶査定不服審判事件〔平成２１年　３月２６日出願公開、特開２００９−　６５５８７〕について、次のとおり審決する。
【結　論】
　本件審判の請求は、成り立たない。
【理　由】
１．手続 
　本件出願は、平成１９年９月１０日の出願であって、手続の概要は以下のとおりである。
　
　拒絶理由通知　　　　　　　：平成２３年　６月１７日（起案日）
　手続補正　　　　　　　　　：平成２３年　８月２２日
　拒絶査定　　　　　　　　　：平成２３年　９月３０日（起案日）
　拒絶査定不服審判請求　　　：平成２３年１２月２２日
　手続補正　　　　　　　　　：平成２３年１２月２２日
　拒絶理由通知（最後）　　　：平成２４年　３月２１日（起案日）
　前置審査報告　　　　　　　：平成２４年　７月１３日
　審尋　　　　　　　　　　　：平成２４年１０月３１日（起案日）
 　 
２．本願発明
　本願の請求項１〜６に係る発明は、平成２３年１２月２２日付け手続補正書で補正された特許請求の範囲の請求項１〜６に記載された事項により特定されたものであるところ、請求項１に係る発明（以下、「本願発明」という。）は、以下のとおりである。
　
「【請求項１】
　レンズ部を通じて被写体が含まれる撮像画像を取得する撮像部と、
　音声を取得する音声取得部と、
　前記撮像画像中から前記被写体の特定部分を検出する特定部分検出部とを備える音声記録装置において、
　音声処理部を備え、
　前記レンズ部のズーム倍率が変更可能であり、前記音声処理部は、前記特定部分の前記撮像画像中での大きさ及び前記ズーム倍率に基づいて、前記音声取得部で取得する音声の指向特性を調整することを特徴とする音声記録装置。」
　
３．特許法第１６２条による審査において通知された拒絶理由の概要
　特許法第１６２条による審査において、平成２４年３月２１日付けで最後の拒絶の理由として通知された拒絶理由の概要は以下のとおりである。
　
「本願の請求項１ないし請求項６に係る発明は、いずれも、その出願前日本国内又は外国において頒布された下記の各刊行物に記載された発明に基いて、その出願前にその発明の属する技術の分野における通常の知識を有する者が容易に発明をすることができたものであるから、特許法第２９条第２項の規定により特許を受けることができない。 
　
　　　　　　　　　　　　　　　　記
刊行物１．特開２００７−１３２５５号公報 
刊行物２．特開２０００−２７８５８１号公報 
刊行物３．特開平４−６１５７１号公報」
　
４．引用例の記載等
４．１．引用例１
　平成２４年３月２１日付け拒絶理由通知で引用された特開２００７−１３２５５号公報（以下「引用例１」という。）には、「信号処理装置および方法、プログラム、並びに記録媒体」（発明の名称）に関し、図面と共に次に掲げる事項が記載されている。 　 
　
「【００３４】
　図１は、本発明を適用した映像音声記録装置１００の一実施形態に係る構成例を示す図である。
【００３５】
　図１において、映像音声記録装置１００は、例えば、ビデオカメラとして構成され、レンズ１０１を介して集光される光に基づく画像（映像）と、マイクロホン１０４または１０５を介して集音される音声を記録する。
【００３６】
　レンズ１０１を介して集光された光は、撮像素子１０２において例えば、光の強度に応じた電気信号に変換（光電変換）される。撮像素子１０２は、例えば、CCD（Charge Coupled Device）センサまたはCMOS（Complementary Metal-Oxide Semiconductor）センサなどの光電変換素子により構成される。
【００３７】
　画像信号処理部１０３は、撮像素子１０２から出力される電気信号を、A/D変換して得られるデータに基づいて、RGB画像信号のデータを生成する。
【００３８】
　一方、マイクロホン１０４またはマイクロホン１０５を介して集音された音声の信号は、音声信号処理部１０６においてA/D変換される。例えば、マイクロホン１０４は、映像音声記録装置（ビデオカメラ）１００の前方から発せられる音声を中心に集音するように設けられており、マイクロホン１０５は、ビデオカメラの左右方向から発せられる音声を中心に集音するように設けられている。音声信号処理部１０６は、例えば、マイクロホン１０４またはマイクロホン１０５から入力される音声信号に対応する音声データであって、それぞれビデオカメラの前方の音声または左右方向の音声であることを表すデータの付加された音声データを生成する。
【００３９】
　画像信号処理部１０３または音声信号処理部１０６から出力されるデータは、被写体強調処理部１０７に入力される。被写体強調処理部１０７は、ビデオカメラにより撮影される画像の中に、例えば、ユーザが所望する被写体（例えば、人物など）の画像が含まれているか否かをチェックして、人物などの画像が含まれている場合、その人物から発せられたと推測される前方から発せられた音声を強調する処理を行う。なお、被写体強調処理部１０７の詳細な構成については後述する。
【００４０】
　被写体強調処理部１０７から出力される画像信号のデータおよび音声信号のデータは、エンコード処理部１０８に入力され、エンコード処理部１０８は、入力された画像信号のデータおよび音声信号のデータを、例えば、MPEG（Moving Picture Experts Group）などの方式に基づいて圧縮符号化などの処理を行い符号化（エンコード）し、記録ストリームを生成する。
【００４１】
　記録部１０９は、エンコード処理部１０８から出力される記録ストリームを、例えば、DVD（Digital Versatile Disk）、HDD（Hard Disk Drive）などの記録媒体に記録する。
【００４２】
　図２は、被写体強調処理部１０７の詳細な構成例を示すブロック図である。同図において、画像認識部１３１は、画像信号処理部１０３から供給される画像信号のデータに基づいて、例えば、ビデオカメラにより撮影された画像の中に人物などの被写体が含まれている確からしさの度合いを表す評価値を算出して、判定部１３２に出力する。
【００４３】
　図３は、画像認識部１３１の詳細な構成例を示すブロック図である。同図において、ウィンドウ切出し部１６１は、入力される画像の中の所定の部分（例えば、画面中央の部分）をウィンドウとして切り出す。このとき、例えば、図４に示されるように、撮影された画像１９０の中で、画像１９０のサイズと比較して縦方向（上下方向）および横方向（左右方向）ともに小さいサイズとされる画面中央のウィンドウ１９１が切り出される。この例では、撮影された画像１９０の中央に人物が写っており、人物の顔の部分（図中ハッチングされていない部分）がウィンドウ１９１として切り出されている。」
「【００４６】
　図３に戻って、ウィンドウ切出し部１６１により切り出されたウィンドウ１９１の画素のデータは、色領域抽出部１６２に供給される。色領域抽出部１６２は、例えば、RGB信号に対応するデータとして構成されるウィンドウ１９１の画素のデータを、次式により輝度と色差信号のデータに変換する。なお、次式において、「Ｒ」、「Ｇ」、「Ｂ」は、RGB信号のそれぞれ「Ｒ」、「Ｇ」、「Ｂ」に対応する値を表しており、「Ｙ」は輝度信号の値、「Ｃｒ」、「Ｃｂ」はそれぞれ色差信号の値を表している。
【００４７】
　Ｙ＝０．２９９Ｒ＋０．５８７Ｇ＋０．１１４Ｂ
　Ｃｒ＝０．７０１Ｒ−０．５８７Ｇ−０．１１４Ｂ
　Ｃｂ＝-０．２９９Ｒ−０．５８７Ｇ＋０．８８６Ｂ
【００４８】
　色領域抽出部１６２は、輝度と色差信号のデータに基づいて、特定の被写体の色に対応する画素と、それ以外の画素を区別し、ウィンドウ１９１の画素のデータを２値化する。例えば、特定の被写体として人物を抽出したい場合、個々の画素の輝度と色差信号のデータに基づいて、その画素の色が推定され、その画素が人物の色である肌色に対応する画素である場合、その画素のデータに、抽出すべき領域であることを表す所定のデータが付加され、その画素が肌色に対応する画素ではない場合、その画素のデータに、抽出すべき領域ではないことを表す所定のデータが付加されて２値化される。」
「【００５６】
　図２に戻って、判定部１３２は、画像認識部１３１から出力される評価値に基づいて、ビデオカメラにより撮影された画像の中に特定の被写体（いまの場合、人物の顔）が写っているか否かを判定する。例えば、画像認識部１３１から出力される評価値が、予め設定された閾値を超えている場合、判定部１３２は、撮影された画像の中に特定の被写体が写っていると判定し、後述するように、指向性操作部１３３と音声帯域操作部１３４とを制御する制御信号を出力する。
【００５７】
　指向性操作部１３３は、ビデオカメラにより撮影される画像とともに入力される音声の指向特性を制御する機能ブロックであり、判定部１３２から出力される制御信号に基づいて、マイクロホン１０４または１０５を介して入力される音声の指向特性を変更する。音声帯域操作部１３４は、ビデオカメラにより撮影される画像とともに入力される音声の中で、周波数帯の強調（例えば、特定の周波数帯のレベルを増加させるなど）を制御する機能ブロックであり、判定部１３２から出力される制御信号に基づいて、集音された音声のうち所定の周波数帯のレベルを変更する。」
「【００９０】
 　図１３は、この場合の被写体強調処理部１０７の詳細な構成例を示すブロック図である。同図において、図２と対応する部分には、それぞれ同一の符号が付されている。
【００９１】
　図１３の例では、図２の場合における判定部１３２に代わり、レベル設定部１４２が設けられている。レベル設定部１４２は、画像認識部１３１から出力される評価値に基づいて、指向性操作部１３３と音声帯域操作部１３４とを制御する制御レベルを設定する。レベル設定部１４２は、例えば、画像認識部１３１から出力される評価値を、１０段階の制御レベルに対応させて正規化して得られた制御レベルを、指向性操作部１３３および音声帯域操作部１３４に供給する。
【００９２】
　被写体強調処理部１０７が図１３のように構成される場合、指向性操作部１３３は、レベル設定部１４２により設定された制御レベルに応じて、段階的にマイクロホン１０４または１０５を介して入力される音声の指向特性（ポーラパターン）を変化させる。
【００９３】
　図１４と図１５は、レベル設定部１４２の制御レベルに応じて設定される指向特性の例を示す図である。なお、同図においては、図８の場合と同様に、図中上側がビデオカメラの前方向とされ、図中左右がそれぞれビデオカメラの左方向または右方向とされ、矢印２５１と２５２は指向主軸を表し、実線２５３および破線２５４によりポーラパターンが示されている。
【００９４】
　図１４は、例えば制御レベルが１である場合の指向特性（ポーラパターン）の例を示す図である。この例では、図８に示される通常時のポーラパターンと比較して、指向主軸である矢印２５１と２５２が、より前方向に近づいている。すなわち、図８の場合と比較して、矢印２５１と２５２とが、それぞれ前方向の軸となす角度が小さくなっており、実線２５３および破線２５４により示されるポーラパターンは、より前方向が重視されたものになっている。
【００９５】
　図１５は、例えば、制御レベルが２である場合の指向特性（ポーラパターン）の例を示す図である。この例では、図１４の場合と比較してさらに、指向主軸である矢印２５１と２５２が、より前方向に近づいている。すなわち、図１４の場合と比較して、矢印２５１と２５２とが、それぞれ前方向の軸となす角度がさらに小さくなっており、実線２５３および破線２５４により示されるポーラパターンは、さらに前方向が重視されたものになっている。
【００９６】
　このように、指向性操作部１３３は、レベル設定部１４２から供給される制御レベルが高くなるほど、前方向を重視した指向特性を設定する。このようにすることで、例えば、撮影される画像の中に人物が写っている確度が高い（評価値が高い）ほど、画面の前方にいる人物が発する音声がはっきりと聞こえるように、画像と音声を提供することができる。」
「【０１０２】
　ここまで、レベル設定部１４２が評価値に応じて制御レベルを設定する例について説明したが、例えば、レベル設定部１４２に、パターンマッチング部１６５により演算された評価値とともに、色領域抽出部１６２により抽出された領域の大きさを表す情報を供給し、レベル設定部１４２は、例えば、評価値が閾値を超える場合、色領域抽出部１６２により抽出された領域の大きさを表す情報を、１０段階の制御レベルに対応させて正規化して得られた制御レベルを、指向性操作部１３３および音声帯域操作部１３４に供給するようにしてもよい。
【０１０３】
　このようにすることで、例えば、撮影される画像の中で人物がズームアップされるなどした場合、ズームアップされた度合いが高い（抽出された領域が大きい）ほど、人物が発する音声がはっきりと聞こえるように、画像と音声を提供することができる。
【０１０４】
　図１７は、被写体強調処理部１０７が図１３のように構成される場合の、音声信号出力処理の例を説明するフローチャートである。
【０１０５】
　ステップS２０１の処理は、図１１のステップS１０１の処理と同様の処理なので詳細な説明は省略する。
【０１０６】
　ステップS２０２において、レベル設定部１４２は、ステップS１０１の処理により演算された評価値を、例えば、１０段階の制御レベルに正規化し、制御レベルを設定する。なお、ここで上述したように、評価値が閾値を超える場合、色領域抽出部１６２により抽出された領域の大きさを表す情報を、１０段階の制御レベルに対応させて正規化し、制御レベルを設定してもよい。
【０１０７】
　ステップS２０３において、指向性操作部１３３は、ステップS２０２の処理で設定された制御レベルに応じて指向特性を変化させる。このとき、例えば、図１４と図１５を参照して上述したように、指向特性が段階的に変化させられる。
【０１０８】
　ステップS２０４において、音声帯域操作部１３４は、ステップS２０２の処理で設定された制御レベルに応じてボイス帯域の周波数を強調する。このとき、例えば、図１６を参照して上述したように、ボイス帯域の周波数が段階的に強調される。
【０１０９】
　ステップS２０５において、ステップS２０３およびステップS２０４において、それぞれ指向性操作部１３３および音声帯域操作部１３４の処理を経た音声信号が出力される。
【０１１０】
　このようにして、被写体強調処理部１０７から音声信号が出力される。このようにすることで、風景などを撮影しているときは、画面の中のすべての物体（被写体）からの音声がはっきりと聞こえる臨場感のある画像と音声を提供することができるとともに、人物などを撮影しているときは、その画像における人物の写り方に応じて段階的に人物が発する音声がはっきりと聞こえる画像と音声を提供することができる。」
「【図１】
」
「【図１３】
」
「【図１４】
」
「【図１５】
」
「【図１６】
」
「【図１７】
」
　
　ここで、上記記載について検討する。
　
（ア）引用例１段落【００３６】の記載によると、引用例１記載の発明は、「レンズ１０１を介して集光された光を電気信号に変換（光電変換）する撮像素子１０２」を有する。
（イ）引用例１段落【００３５】【００３８】の記載によると、引用例１記載の発明は、「音声を集音するマイクロホン１０４，１０５」を有する。
（ウ）引用例１段落【００４８】の記載によると、引用例１記載の発明は、「撮影された画像から特定の被写体を抽出する色領域抽出部１６２」を有する。
（エ）引用例１段落【０１０２】の記載によると、引用例１記載の発明は、「レベル設定部１４２に、色領域抽出部１６２により抽出された領域の大きさを表す情報を供給し、レベル設定部１４２は、色領域抽出部１６２により抽出された領域の大きさを表す情報を、１０段階の制御レベルに対応させて正規化して得られた制御レベルを、指向性操作部１３３および音声帯域操作部１３４に供給し」、また、引用例１の段落【００５７】の記載によると、引用例１記載の発明は、「指向性操作部１３３は、ビデオカメラにより撮影される画像とともに入力される音声の指向特性を制御する機能ブロックであり、判定部１３２から出力される制御信号に基づいて、マイクロホン１０４または１０５を介して入力される音声の指向特性を変更する」ものであって、引用例１段落【０１０３】に記載されるように「抽出された領域が大きいほど、人物が発する音声がはっきりと聞こえるよう」するものである。
（オ）引用例１の段落【００３４】【００３５】【００３９】【００５６】【００５７】の記載によると、引用例１記載の発明は「映像音声記録装置（ビデオカメラ）１００」を対象としている。
 　 
（カ）まとめ
　上記（ア）ないし（オ）によれば、引用例１には以下の発明（以下「引用発明１」という。）が記載されていると認められる。 
　
「レンズ１０１を介して集光された光を電気信号に変換（光電変換）する撮像素子１０２と、
　音声を集音するマイクロホン１０４，１０５と、
　撮影された画像から特定の被写体を抽出する色領域抽出部１６２と、
　レベル設定部１４２に、色領域抽出部１６２により抽出された領域の大きさを表す情報を供給し、レベル設定部１４２は、色領域抽出部１６２により抽出された領域の大きさを表す情報を、１０段階の制御レベルに対応させて正規化して得られた制御レベルを、指向性操作部１３３および音声帯域操作部１３４に供給し、指向性操作部１３３は、ビデオカメラにより撮影される画像とともに入力される音声の指向特性を制御する機能ブロックであり、判定部１３２から出力される制御信号に基づいて、マイクロホン１０４または１０５を介して入力される音声の指向特性を変更することによって、抽出された領域が大きいほど、人物が発する音声がはっきりと聞こえるようにする、映像音声記録装置（ビデオカメラ）１００。」
　
４．２．引用例２
　平成２４年３月２１日付け拒絶理由通知で引用された特開２０００−２７８５８１公報（以下「引用例２」という。）には、「ビデオカメラ」（発明の名称）に関し、図面と共に次に掲げる事項が記載されている。
　
「【０００１】
【発明の属する技術分野】本発明は、映像のズーム機能を有するカメラに搭載し、映像と同期してズーム収音するズーム・マイクロホン及び、これを備えるビデオカメラに関するものである。
【０００２】
【従来の技術】近年、民生用ビデオカメラは普及がめざましい。この民生用ビデオカメラのほとんどはズーム機能を有しているのに対し、これらの内蔵マイクロホンは指向性が一定のため、映像と音声の一体感に乏しかった。
【０００３】以下に従来のマイクロホンを備えたビデオカメラについて説明する。
【０００４】従来、ビデオカメラは特開平１ー３２１７８０号公報に記載されたものが知られている。そのビデオカメラを図３に示す。図３は従来のビデオカメラのブロック図を示すものである。図３において、１はズーム機能を有し被写体の画像を撮影可能な撮像部である。２は広角撮影時に使用される広指向性の第１のマイクロホンであり、無指向性マイクロホンとも呼ばれている。３は望遠撮影時に使用される狭指向性の第２のマイクロホンであり、単一指向性マイクロホンとも呼ばれている。４は第１及び第２のマイクロホン２及び３の音声出力信号レベルを変える混合器である。Ｒａ、Ｒｂは混合器４内に設けられた可変抵抗器である。５は撮像部１のズーミング動作に応じたコントロール信号を発生し、混合器４を制御するコントロール信号電圧発生回路である。６は音声記録回路である。
【０００５】以上のように構成された従来のビデオカメラについて、以下その動作について説明する。
【０００６】まず、ズーム操作により、撮像部１からのズーム位置情報信号をコントロール信号電圧発生回路５が読み取り、混合器４の可変抵抗器Ｒａ、Ｒｂをズーム位置に応じたズーム比で制御する。
【０００７】例えば、撮像部１が広角撮影を行っている時には、コントロール信号電圧発生回路５は混合器４の可変抵抗器Ｒｂの抵抗値を上げる制御をし、望遠撮影時の狭指向性の第２のマイクロホン３の音声出力信号を減衰させ、広指向性の第１のマイクロホン２の音声出力信号だけを音声記録回路６に出力するよう混合器４の可変抵抗器Ｒａを制御する。
【０００８】また、撮像部１が望遠撮影を行っている時には、コントロール信号電圧発生回路５は混合器４の可変抵抗器Ｒａの抵抗値を上げる制御をし、第１のマイクロホン２の音声出力信号を減衰させ、第２のマイクロホン３の音声出力信号だけを音声記録回路６に出力するよう混合器４の可変抵抗器Ｒｂを制御する。
【０００９】このようにして制御された音声信号は、音声記録回路６に入力され、記録媒体などに音声信号が記録される。
【００１０】図４に混合器４の可変抵抗器Ｒａ、Ｒｂをズーム位置に応じたズーム比で制御した、音声記録回路６に入力される音声信号の指向性変化を示す。」
「【図３】
」
　
５．対比 
　本願発明と引用発明１を比較する。
　
（ａ）「レンズ部を通じて被写体が含まれる撮像画像を取得する撮像部」について　
　引用発明１の「撮像素子１０２」は、レンズ１０１を介して集光された光を電気信号に変換（光電変換）するものであり、本願発明でいう「レンズ部を通じて被写体が含まれる撮像画像を取得する撮像部」に相当する。
　
（ｂ）「音声を取得する音声取得部」について
　引用発明１の「マイクロホン１０４，１０５」は、音声を集音するものであり、本願発明でいう「音声を取得する音声取得部」に相当する。
　
（ｃ）「前記撮像画像中から前記被写体の特定部分を検出する特定部分検出部」について
　引用発明１の「色領域抽出部１６２」は、撮影された画像から特定の被写体を抽出するものであり、引用例１段落【００５６】の「図２に戻って、判定部１３２は、画像認識部１３１から出力される評価値に基づいて、ビデオカメラにより撮影された画像の中に特定の被写体（いまの場合、人物の顔）が写っているか否かを判定する。」との記載からみて、この「特定の被写体」とは「人物の顔」を指すものである。これに対し、本願発明でいう「前記撮像画像中から前記被写体の特定部分を検出する特定部分検出部」の「被写体の特定部分」とは、本願明細書段落【００３３】の「続いて画像を読み込み、その画像中に、特定の被写体である人物の顔があるかどうかを検出する。」との記載からみて「人物の顔」を指している。すなわち、引用発明１の「特定の被写体」と本願発明の「被写体の特定部分」が一致している。そして、それを前提とすると、引用発明１の「色領域抽出部１６２」と本願発明の「前記撮像画像中から前記被写体の特定部分を検出する特定部分検出部」が一致する。
　
（ｄ）「音声処理部」を備え、「前記レンズ部のズーム倍率が変更可能であり、前記音声処理部は、前記特定部分の前記撮像画像中での大きさ及び前記ズーム倍率に基づいて、前記音声取得部で取得する音声の指向特性を調整する」について
　引用発明１は「レベル設定部１４２に、色領域抽出部１６２により抽出された領域の大きさを表す情報を供給し、レベル設定部１４２は、色領域抽出部１６２により抽出された領域の大きさを表す情報を、１０段階の制御レベルに対応させて正規化して得られた制御レベルを、指向性操作部１３３および音声帯域操作部１３４に供給し、指向性操作部１３３は、ビデオカメラにより撮影される画像とともに入力される音声の指向特性を制御する機能ブロックであり、判定部１３２から出力される制御信号に基づいて、マイクロホン１０４または１０５を介して入力される音声の指向特性を変更する」ものであり、引用発明１も、そのような制御を行うための「音声処理部」が存在することも明らかである。
　そうすると、引用発明１も、「音声処理部を備え」、「前記音声処理部は、前記特定部分の前記撮像画像中での大きさに基づいて、前記音声取得部で取得する音声の指向特性を調整する」ものといえ、その点では、本願発明と変わりがない。
　しかしながら、本願発明は「前記レンズ部のズーム倍率が変更可能」であるとともに、その「前記音声処理部」は、前記特定部分の前記撮像画像中での大きさのみならず「前記ズーム倍率」に基づいて、前記音声取得部で取得する音声の指向特性を調整するのに対し、引用例１段落【０１０３】の記載はあるものの、引用例１段落【００３５】【００３６】及び【図１】の記載からは、引用発明１の「レンズ１０１」はズームレンズとは認められず、そのため、引用発明１ではズーム倍率を勘案して音声の指向特性を変更していない点で、本願発明と引用発明１とは相違する。
　
（ｅ）「音声記録装置」について
　引用発明１の「映像音声記録装置（ビデオカメラ）１００」は、本願発明の「音声記録装置」と相違しない。
　
６．一致点・相違点 
　以上の対比から、本願発明と引用発明１との［一致点］及び［相違点］は以下のとおりである。　　 
　
［一致点］ 
　レンズ部を通じて被写体が含まれる撮像画像を取得する撮像部と、
　音声を取得する音声取得部と、
　前記撮像画像中から前記被写体の特定部分を検出する特定部分検出部とを備える音声記録装置において、
　音声処理部を備え、
　前記音声処理部は、前記特定部分の前記撮像画像中での大きさに基づいて、前記音声取得部で取得する音声の指向特性を調整することを特徴とする音声記録装置。
　
［相違点］ 
　本願発明は「前記レンズ部のズーム倍率が変更可能」であるとともに、その「前記音声処理部」は、前記特定部分の前記撮像画像中での大きさのみならず「前記ズーム倍率」に基づいて、前記音声取得部で取得する音声の指向特性を調整するのに対し、引用発明１の「レンズ１０１」はズームレンズとではなく、また、引用発明１ではズーム倍率を勘案して音声の指向特性を変更していない点。
　
７．相違点の判断等 
　上記［相違点］について検討する。
　
　ズーム機能を有するビデオカメラは例を挙げるまでもなく極めて良く知られており、引用発明１のような映像音声記録装置(ビデオカメラ)においても、それにズーム機能を付加しようとすることは当業者が極めて自然に考えつくものである。
　次に、引用例２の上記段落【０００１】ないし【００１０】及び【図３】の記載によれば、引用例２には、ズーム機能を有し被写体の画像を撮影可能な撮像部１を有するビデオカメラであって、ズーム操作により、撮像部１からのズーム位置情報信号をコントロール信号電圧発生回路５が読み取り、混合器４の可変抵抗器Ｒａ、Ｒｂをズーム位置に応じたズーム比で制御し音声信号の指向性を変化させることが記載されている。そして、そのようなビデオカメラにおけるズーム倍率の変更は、通常、撮像部のレンズ部においてズーム倍率を変更可能とするものであり、また、ビデオカメラにおける撮像画像中の被写体の大きさはビデオカメラと被写体の距離が同じならばズーム倍率によって変化することも明らかである。
　また、引用発明１における「レベル設定部１４２に、色領域抽出部１６２により抽出された領域の大きさを表す情報を供給し、レベル設定部１４２は、色領域抽出部１６２により抽出された領域の大きさを表す情報を、１０段階の制御レベルに対応させて正規化して得られた制御レベルを、指向性操作部１３３および音声帯域操作部１３４に供給し、指向性操作部１３３は、ビデオカメラにより撮影される画像とともに入力される音声の指向特性を制御する機能ブロックであり、判定部１３２から出力される制御信号に基づいて、マイクロホン１０４または１０５を介して入力される音声の指向特性を変更することによって、抽出された領域が大きいほど、人物が発する音声がはっきりと聞こえるようにする」ことは、抽出した領域の大きさと、人物と映像音声記録装置(ビデオカメラ)の距離に相関関係があることを前提としているものと認められる。
　
　ここで、上記したように、ズーム機能を有するビデオカメラは例を挙げるまでもなく極めて良く知られており、引用発明１のような映像音声記録装置(ビデオカメラ)においても、それにズーム機能を付加しようとすることは当業者が極めて自然に考えつくものであるところ、単に、その「レンズ１０１」のズーム倍率を変更可能なものとした場合には、撮像された画像上の被写体の特定部分の大きさ、すなわち、抽出した領域の大きさが同じであっても、ズーム倍率が異なればビデオカメラと被写体との距離が異なることとなるから、引用例２に記載されるように、レンズのズーム倍率をも考慮すること、すなわち、音声の指向特性を調整する際に、領域の大きさを表す情報のみならず、すなわち、領域の大きさを表す情報及びズーム倍率の両方に基づいて、音声の指向特性を調整することは当業者が容易に想到し得ることといえる。
　言い換えると、引用発明１の音声映像記録装置（ビデオカメラ）を、本願発明のように、「前記レンズ部のズーム倍率が変更可能であり」とし、前記音声処理部は、前記特定部分の前記撮像画像中での大きさ「及び前記ズーム倍率」に基づいて、前記音声取得部で取得する音声の指向特性を調整することは当業者が容易に想到し得ることといえる。
　また、本願発明の効果は当業者が容易に予測し得るものであり、格別顕著なものがあるとは認められない。
　
　したがって、本願発明は、引用発明１、及び、引用例２に記載された発明に基づき当業者が容易に発明をすることができたものである。
　
７．むすび 
　以上のように、本願の請求項１に係る発明は、引用例１，２に記載された発明に基いて当業者が容易に発明をすることができたものであるから、特許法第２９条第２項の規定により特許を受けることができない。
　
　したがって、残る請求項２ないし請求項６に係る発明について特に検討をするまでもなく、本件出願は拒絶をすべきものである。 
　
　よって、結論のとおり審決する。